(57)【要約】【課題】ＷＡＮモジュールを備える無線ＬＡＮルータ装置の消費電力を低減する。【解決手段】無線ＬＡＮルータ装置１０にコンピュータ２０が有線接続された場合、無線ＬＡＮ子機による通信状態が所定の条件に該当するかを判定し、所定の条件に該当すると判定された場合、ＷＡＮ接続に関する接続情報を無線ＬＡＮルータ装置１０からコンピュータ２０に転送し、無線ＷＡＮ通信モジュール１０３のホストを無線ＬＡＮルータ装置１０のメイン制御部１１０からコンピュータ２０に切り替える。そして、無線ＬＡＮルータ装置１０における、メイン制御部１１０と、無線ＬＡＮ制御機能に対応する各ブロックと、ルータ機能に対応する各ブロックと、の少なくとも一つの電源をオフする。そして、コンピュータ２０が、接続情報に基づいて、無線ＷＡＮ通信モジュール１０３を介してＷＡＮ接続を行う。【選択図】図１
2011249889.tif 000002
【特許請求の範囲】
【請求項１】
ＷＡＮ接続モジュールを有する無線ＬＡＮルータを制御するルータ制御方法であって、
前記無線ＬＡＮルータにコンピュータが有線接続された場合に、無線ＬＡＮ子機の通信状態が所定の条件に該当するかを判定する判定ステップと、
前記無線ＬＡＮ子機の通信状態が所定の条件に該当すると判定された場合、ＷＡＮ接続に関する接続情報を当該無線ＬＡＮルータ装置から前記コンピュータに転送するステップと、
前記ＷＡＮモジュールのホストを当該無線ＬＡＮルータの制御部から前記コンピュータに切り替えるステップと、
前記無線ＬＡＮルータにおける、制御部と、無線ＬＡＮ制御機能に対応する各ブロックと、ルータ機能に対応する各ブロックと、の少なくとも一つの電源をオフするステップと、
前記コンピュータが、前記転送された接続情報に基づいて、前記無線ＬＡＮルータの前記ＷＡＮモジュールを介してＷＡＮ接続を行うステップと、
を備えることを特徴とするルータ制御方法。
【請求項２】
前記判定ステップは、前記無線ＬＡＮルータに前記無線ＬＡＮ子機による接続が一定時間ない場合と、前記無線ＬＡＮ子機によりインターネットへのアクセスが一定時間ない場合と、の少なくとも一方に該当するかを判定する、
ことを特徴とする請求項１に記載のルータ制御方法。
【請求項３】
前記コンピュータは、給電可能なインターフェイスを介して前記無線ＬＡＮルータに接続される、
ことを特徴とする請求項１又は２に記載のルータ制御方法。
【請求項４】
ＷＡＮ接続モジュールを有する無線ＬＡＮルータ装置であって、
コンピュータが有線接続された場合に、無線ＬＡＮ子機の通信状態が所定の条件に該当するかを判定する判定手段と、
前記無線ＬＡＮ子機の通信状態が所定の条件に該当すると判定された場合、ＷＡＮ接続に関する接続情報を前記コンピュータに転送する手段と、
前記ＷＡＮモジュールのホストを当該無線ＬＡＮルータ装置の制御部から前記コンピュータに切り替える手段と、
制御部と、無線ＬＡＮ制御機能に対応する各ブロックと、ルータ機能に対応する各ブロックと、の少なくとも一つの電源をオフする手段と、
を備えることを特徴とする無線ＬＡＮルータ装置。
【請求項５】
前記判定手段は、前記無線ＬＡＮルータに前記無線ＬＡＮ子機による接続が一定時間ない場合と、前記無線ＬＡＮ子機によりインターネットへのアクセスが一定時間ない場合と、の少なくとも一方に該当するかを判定する、
ことを特徴とする請求項４に記載の無線ＬＡＮルータ装置。
【請求項６】
前記コンピュータは、給電可能なインターフェイスを介して前記無線ＬＡＮルータ装置に接続される、
ことを特徴とする請求項４又は５に記載の無線ＬＡＮルータ装置。
【発明の詳細な説明】
【技術分野】
【０００１】
本発明は、無線ＬＡＮルータ装置の消費電力を低減する技術に関する。
【背景技術】
【０００２】
無線ＷＡＮ回線を利用してインターネットに接続ができ、且つ無線ＬＡＮのアクセスポイント機能を備える無線ＬＡＮルータ装置が考案されている。このような無線ＬＡＮルータ装置では、無線ＬＡＮ機能のブロックと無線ＷＡＮ機能のブロックとの両方を動作させてルーティングするため、消費電力が大きい。特に、バッテリーでの動作が可能であるモバイルワイヤレスルータ装置は、持ち運んで使用できるため利便性が高いが、消費電力が大きいことが問題となる。
【０００３】
例えば特許文献１には、ＬＡＮ、ＷＡＮ等の通信ネットワークと接続可能であり、端末側のポートとネットワーク側のポートとの間でのアクセス状況に応じて装置内部への供給電力を制御するルータ装置が開示されている。
【先行技術文献】
【特許文献】
【０００４】
【特許文献１】特開２００１−３２０４１５号公報
【発明の概要】
【発明が解決しようとする課題】
【０００５】
特許文献１のルータ装置は、端末装置（ＰＣ）からアクセス要求がないときにＬＡＮに接続するためのモジュール（以下、ＬＡＮ側モジュール）の電源をオフし、また、ＷＡＮへの接続要求がないときにＷＡＮに接続するためのモジュール（以下、ＷＡＮ側モジュール）の電源をオフして装置の消費電力を低減させるものである。
【０００６】
ＷＡＮ側モジュールを備える無線ＬＡＮルータ装置において、有線により接続された一台のＰＣが自装置を介してＷＡＮと接続しており、且つ無線子機からアクセスがない場合には、無線ＬＡＮ親機の機能とルータ機能とは不要である。そのため、これらの機能に該当するブロックの電力をオフにして消費電力を低減させることが望ましい。しかし、特許文献１のルータ装置は、このような場合に対応していない。
【０００７】
本発明は、上記問題点に鑑みてなされたもので、ＷＡＮ側モジュールを備える無線ＬＡＮルータ装置の消費電力を低減することができるルータ装置制御方法及び無線ＬＡＮルータ装置を提供する。
【課題を解決するための手段】
【０００８】
本発明は、ＷＡＮ接続モジュールを有する無線ＬＡＮルータを制御するルータ制御方法であって、前記無線ＬＡＮルータにコンピュータが有線接続された場合に、無線ＬＡＮ子機の通信状態が所定の条件に該当するかを判定する判定ステップと、前記無線ＬＡＮ子機の通信状態が所定の条件に該当すると判定された場合、ＷＡＮ接続に関する接続情報を当該無線ＬＡＮルータ装置から前記コンピュータに転送するステップと、前記ＷＡＮモジュールのホストを当該無線ＬＡＮルータの制御部から前記コンピュータに切り替えるステップと、前記無線ＬＡＮルータにおける、制御部と、無線ＬＡＮ制御機能に対応する各ブロックと、ルータ機能に対応する各ブロックと、の少なくとも一つの電源をオフするステップと、前記コンピュータが、前記転送された接続情報に基づいて、前記無線ＬＡＮルータの前記ＷＡＮモジュールを介してＷＡＮ接続を行うステップと、を備えることを特徴とするルータ制御方法である。
【０００９】
本発明は、ＷＡＮ接続モジュールを有する無線ＬＡＮルータ装置であって、コンピュータが有線接続された場合に、無線ＬＡＮ子機の通信状態が所定の条件に該当するかを判定する判定手段と、前記無線ＬＡＮ子機の通信状態が所定の条件に該当すると判定された場合、ＷＡＮ接続に関する接続情報を前記コンピュータに転送する手段と、前記ＷＡＮモジュールのホストを当該無線ＬＡＮルータ装置の制御部から前記コンピュータに切り替える手段と、制御部と、無線ＬＡＮ制御機能に対応する各ブロックと、ルータ機能に対応する各ブロックと、の少なくとも一つの電源をオフする手段と、を備えることを特徴とする無線ＬＡＮルータ装置である。
【発明の効果】
【００１０】
本発明によれば、ＷＡＮモジュールを備える無線ＬＡＮルータ装置の消費電力を低減することができる。
【図面の簡単な説明】
【００１１】
【図１】図１は本発明の第１の実施形態に係る無線ＬＡＮルータ装置のブロック図である。
【図２】図２は無線ＬＡＮルータ装置とコンピュータを接続した状態を示す図である。
【図３】図３は無線ＬＡＮルータ装置の処理動作の概要を説明するためのフローチャートである。
【図４】図４は省電力移行監視処理を説明するためのフローチャートである。
【図５】図５は省電力移行処理を説明するためのフローチャートである。
【図６】図６は省電力移行処理におけるコンピュータ側の動作を説明するためのフローチャートである。
【図７】図７は省電力モードからルータモードに移行する場合の移行処理を説明するためのフローチャートである。
【図８】図８はモード切替用スイッチを有しない場合の無線ＬＡＮルータ装置の構成を示す図である。
【図９】図９は省電力移行監視処理の変形例を説明するためのフローチャートである。
【図１０】図１０は有線ＬＡＮコネクタを備えた場合の無線ＬＡＮルータ装置の構成を示す図である。
【発明を実施するための形態】
【００１２】
以下、本発明の実施形態について図面を参照して説明する。本実施形態に係る無線ＬＡＮルータ装置１０は、バッテリーでの動作が可能であり、且つ無線ＷＡＮ回線を利用してインターネット接続ができるモバイルワイヤレスルータを含む。
【００１３】
図１は、本発明の実施形態に係る無線ＬＡＮルータ装置１０のブロック図である。また、図２は、無線ＬＡＮルータ装置１０とコンピュータ２０とを接続した状態を示したブロック図である。
【００１４】
無線ＬＡＮルータ装置１０は図１に示すように、接続インターフェイス部１００、スイッチ１０１、スイッチ１０２、無線ＷＡＮ通信モジュール１０３、アンテナ１０４、ＬＡＮ信号変換部１０５、モード切替用スイッチ１０６、有線ＬＡＮ制御部１０７、インターフェイス制御部１０８、記憶部１０９、メイン制御部１１０、無線ＬＡＮ制御部１１１、無線ＬＡＮ-ＲＦ部１１２、及びアンテナ１１３を備える。
【００１５】
接続インターフェイス部１００は、コンピュータ２０と無線ＬＡＮルータ装置１０とを接続するコネクタであり、例えばＵＳＢコネクタやＩＥＥＥ１３９４コネクタ等のような給電とデータ通信とが可能なインターフェイスを用いる。
【００１６】
スイッチ１０１は、接続インターフェイス部１００（コンピュータ２０側）の接続先を、ＬＡＮ信号変換部１０５（メイン制御部１１０側）とスイッチ１０２（無線ＷＡＮ通信モジュール１０３側）との間で切り替える。
【００１７】
スイッチ１０２は、無線ＷＡＮ通信モジュール１０３の接続先を、スイッチ１０１（コンピュータ２０側）とインターフェイス制御部１０８との間で切り替える。
【００１８】
無線ＷＡＮ通信モジュール１０３は、インターネット回線に接続するための通信モジュールであり、例えば、ＷｉＭＡＸ、３Ｇ、ＰＨＳ等に対応する通信モジュールを含む。
【００１９】
アンテナ１０４は、無線ＷＡＮ信号を送受信する。
【００２０】
ＬＡＮ信号変換部１０５は、コンピュータ２０からの信号をＬＡＮ信号に変換する。これにより、コンピュータ２０は、無線ＬＡＮルータ装置１０に接続されたネットワーク機器の一つとして認識される。
【００２１】
モード切替用スイッチ１０６は、無線ＬＡＮルータ装置１０の動作モードの切り替えを行うためのスイッチである。
【００２２】
有線ＬＡＮ制御部１０７は、ＰＨＹ(physical layer)チップを含み、コンピュータ２０とメイン制御部１１０とがＬＡＮ信号で通信するために、ＬＡＮ信号の物理的な処理を行う。
【００２３】
インターフェイス制御部１０８は、ＰＨＹチップを含み、無線ＷＡＮ通信モジュール１０３とメイン制御部１１０とを通信させるための物理的な処理を行う。
【００２４】
記憶部１０９は、メイン制御部１１０の動作に必要な情報を記憶する。
【００２５】
メイン制御部１１０は、ルーティング動作や無線ＷＡＮ通信モジュール１０３の制御等を行う。
【００２６】
無線ＬＡＮ制御部１１１と無線ＬＡＮ-ＲＦ部１１２とは、子機と無線ＬＡＮで接続するための処理を行う。
【００２７】
アンテナ１１３は、無線信号の送受信を行う。
【００２８】
コンピュータ２０は、図２に示すように、ＣＰＵ（Central Processing
Unit）、ＲＯＭ（Read
Only Memory）、ＲＡＭ（Random Access Memory）等を含む制御部２１と、ハードディスク装置等を含む記憶部２２と、外部の装置と接続して通信を行うための接続インタフェース部２３と、を備えるパーソナルコンピュータを含む。コンピュータ２０の制御部２１は、記憶部２２に記憶される無線ＷＡＮ回線接続用のユーティリティを常駐プログラムとして起動する。この無線ＷＡＮ回線接続用ユーティリティは、無線ＬＡＮルータ装置１０のメイン制御部１１０と通信する機能と、無線ＬＡＮルータ装置１０の無線ＷＡＮ通信モジュール１０３を制御する機能と、を備える。
【００２９】
次に、本実施形態に係る無線ＬＡＮルータ装置１０の動作について説明する。以下、無線ＬＡＮルータ装置１０が通常のルータとして動作するモードを「ルータモード」、ルータとしての機能を停止して動作するモードを「省電力モード」と称する。
【００３０】
まず、無線ＬＡＮルータ装置１０の処理動作の概要について図３を参照して説明する。
【００３１】
コンピュータ２０が接続インターフェイス部１００を介して無線ＬＡＮルータ装置１０に接続されると、無線ＬＡＮルータ装置１０のメイン制御部１１０は、無線ＬＡＮ子機の通信状態が省電力モードに移行するための所定の条件に該当するかを判定する省電力移行監視処理を行う（ステップＳ３０１）。そして、省電力移行管理処理において、省電力モードへの移行条件を満たすと判定された場合には、メイン制御部１１０は省電力移行処理を行う（ステップＳ３０２）。
【００３２】
ステップＳ３０１の省電力移行監視処理について、図４を参照して説明する。
【００３３】
メイン制御部１１０は、予め設定された時間（監視インターバル時間）だけ待機した後（ステップＳ４００）、無線ＬＡＮ子機が無線ＬＡＮルータ装置１０に接続されているかを判定する（ステップＳ４０１）。具体的には、所定のＥＳＳ−ＩＤ（Extended Service Set Identifier）を含むパケットを子機から受信したかを判定する。無線ＬＡＮルータ装置１０に子機が接続されていると判定された場合（ステップＳ４０１：ＹＥＳ）、フローはステップＳ４００に戻る。
【００３４】
また、子機が接続されていないと判定された場合（ステップＳ４０１：ＮＯ）、メイン制御部１１０は、タイマーを作動する（ステップＳ４０２）。そして、監視インターバル時間だけ経過した後（ステップＳ４０３）、無線ＬＡＮ子機が無線ＬＡＮルータ装置１０に接続されているかを判定する（ステップＳ４０４）。
【００３５】
子機が接続されていると判定された場合（ステップＳ４０４：ＹＥＳ）、メイン制御部１１０は、タイマーをストップし、リセットする（ステップＳ４０５）。その後、フローはステップＳ４００に戻る。
【００３６】
また、子機が接続されていないと判定された場合（ステップＳ４０４：ＮＯ）、タイマーの時間が予め設定された時間（タイムアウト時間）を経過したかを判定する（ステップＳ４０６）。
【００３７】
タイムアウト時間が経過していない場合（ステップＳ４０６：ＮＯ）、フローはステップＳ４０３に戻る。また、タイムアウト時間が経過した場合（ステップＳ４０６：ＹＥＳ）、省電力モードへの移行条件を満たすと判定して、この省電力移行監視処理を終了し、省電力移行処理に移行する。
【００３８】
次に、ステップＳ３０２の省電力移行処理について、図５を参照して説明する。
【００３９】
メイン制御部１１０は、無線ＷＡＮ通信に接続するための接続情報を記憶部１０９から読み出してコンピュータ２０に転送する（ステップＳ５００）。接続情報は、接続先のＩＰアドレスや基地局情報を含む。なお、転送された接続情報はコンピュータ２０の記憶部２２に記憶される。
【００４０】
接続情報の転送が完了すると、無線ＷＡＮ通信モジュール１０３は、メイン制御部１１０からの指令に応じてスイッチ１０１、１０２を切り替えて、コンピュータ２０と無線ＷＡＮ通信モジュール１０３とを接続する（ステップＳ５０１）。この接続により、無線ＷＡＮ通信モジュール１０３のホストがコンピュータ２０に切り替わる。また、コンピュータ２０からコネクタを介して無線ＬＡＮルータ装置１０へ電力が供給される。
【００４１】
次に、ルータ機能や無線ＬＡＮ機能に関する各ブロック、すなわち、ＬＡＮ信号変換部１０５、有線ＬＡＮ制御部１０７、インターフェイス制御部１０８、記憶部１０９、メイン制御部１１０、無線ＬＡＮ制御部１１１、及び無線ＬＡＮ-ＲＦ部１１２の電源を電源制御部（図示せず）がオフにする（ステップＳ５０２）。
【００４２】
一方、コンピュータ２０側では、無線ＷＡＮ回線接続用のユーティリティにより無線ＷＡＮ通信モジュール１０３を制御する。ここで、コンピュータ２０における無線ＷＡＮモジュール制御処理について図６を参照して説明する。
【００４３】
コンピュータ２０の無線ＷＡＮ回線接続用ユーティリティは、無線ＷＡＮ通信モジュール１０３との接続を検出すると（ステップＳ６００）、無線ＷＡＮ通信モジュール１０３と通信するためのドライバを記憶部２２からロードして起動する（ステップＳ６０１）。
【００４４】
ステップＳ６０１で起動された無線ＷＡＮ通信モジュール用ドライバは、無線ＷＡＮ通信モジュール１０３を認識して通信を開始する（ステップＳ６０２）。
【００４５】
次に、無線ＷＡＮ回線接続用ユーティリティは、記憶部２２に記憶されている接続情報に基づいて、無線ＷＡＮ通信モジュール１０３を介して無線ＷＡＮ回線に接続する（ステップＳ６０３）。
【００４６】
このように接続情報を引き継ぐことで、接続状態を維持したまま接続元をコンピュータ２０側に切り替えてインターネットに接続することができる。これにより、例えば、セッションを維持していないと再接続が要求されてしまうようなストリーミングコンテンツの再生処理の途中でもスムーズに切り替えが可能となる。
【００４７】
次に、無線ＬＡＮルータ装置１０の動作モードが省電力モードからルータモードに移行する場合の移行処理について、図７を参照して説明する。
【００４８】
省電力モード中に、無線ＬＡＮルータ装置１０のモード切替用スイッチ１０６が押下されたことを検知すると（ステップＳ７００）、ＬＡＮ信号変換部１０５、有線ＬＡＮ制御部１０７、インターフェイス制御部１０８、記憶部１０９、メイン制御部１１０、無線ＬＡＮ制御部１１１、無線ＬＡＮ-ＲＦ部１１２の電源を電源制御部がオンにする（ステップＳ７０１）。
【００４９】
オン状態になったメイン制御部１１０は、コンピュータ２０に無線ＷＡＮ通信についての接続情報を要求し、これに応答して、コンピュータ２０の制御部２１（ユーティリティ）から転送される接続情報を受信し、記憶部１０９に記憶する（ステップＳ７０２）。
【００５０】
メイン制御部１１０は、接続情報に基づいて無線ＷＡＮ通信モジュール１０３を介した無線ＷＡＮ回線に接続して無線ＷＡＮ通信を維持するとともに（ステップＳ７０３）、ルーティング動作を再開する（ステップＳ７０４）。
【００５１】
以上のように、本実施の形態によれば、ＷＡＮモジュールと無線ＬＡＮ機能を備えるルータ装置において、自装置に接続されているのが接続インターフェイス部を介して接続されているコンピュータ１台だけである場合、無線ＷＡＮモジュールのホストをコンピュータ側に切り替えて、無線ＬＡＮ機能やルータ機能に関するブロックの電源をオフするため、装置の使用状況に応じて装置の機能を制限することができ、制限した機能分の消費電力を削減することができる。また、ＷＡＮモジュールのホストを切り替えても、ＷＡＮの接続を維持することができる。
【００５２】
以上、好ましい実施の形態をあげて本発明を説明したが、本発明は必ずしも上記実施の形態に限定されるものではなく、その技術的思想の範囲内において様々に変形し実施することが出来る。
【００５３】
例えば、上記実施形態では、省電力移行処理において、無線ＬＡＮルータ装置１０のルータ機能や無線ＬＡＮ機能に関する各ブロックの電源をオフにするようにしているが、これに限定されず、ルータ機能と無線ＬＡＮ機能のいずれか一方の機能に関するブロックの電源をオフするようにしてもよく、また、ルータ機能や無線ＬＡＮ機能に関する各ブロックの一部をオフするようにしてもよい。また、メイン制御部１１０の電源はオフしないようにしてもよい。
【００５４】
また、コンピュータ２０からの要求に応答して、無線ＬＡＮルータ装置１０が動作モードを切り替えるようにしてもよい。この場合、無線ＬＡＮルータ装置１０は、図８に例示するように、モード切替用スイッチを有しない構成としてもよい。コンピュータ２０の制御部２１は、ユーザによる入力操作等に応答して、モード移行要求を無線ＬＡＮルータ装置１０に送信し、この要求に応答して、無線ＬＡＮルータ装置１０は、上述したモードを切り替える処理を実行するようにしてもよい。
【００５５】
また、上記実施形態では、無線ＬＡＮ子機による通信状態が省電力モードに移行するための所定の条件に該当するかを判定する省電力移行監視処理において、無線ＬＡＮ子機が無線ＬＡＮルータ装置１０に接続されているかを判定しているが、これに限定されず、子機からインターネットへのアクセスがあったかどうかを判定するようにしてもよい。この場合の省電力移行監視処理について図９を参照して説明する。
【００５６】
メイン制御部１１０は、予め設定された時間（監視インターバル時間）だけ待機した後（ステップＳ９００）、この間に無線ＬＡＮ子機からインターネットにアクセスがあったかを判定する（ステップＳ９０１）。具体的には、この期間に子機からグローバルＩＰ宛てのパケットを受信したかを判定する。
【００５７】
子機からインターネットへのアクセスがあったと判定された場合（ステップＳ９０１：ＹＥＳ）、フローはステップＳ９００に戻る。
【００５８】
また、子機からインターネットへのアクセスがなかったと判定された場合（ステップＳ９０１：ＮＯ）、メイン制御部１１０は、タイマーを作動する（ステップＳ９０２）。そして、監視インターバル時間だけ経過した後（ステップＳ９０３）、この間に子機からインターネットにアクセスがあったかを判定する（ステップＳ９０４）。
【００５９】
子機からインターネットへのアクセスがあったと判定された場合（ステップＳ９０４：ＹＥＳ）、メイン制御部１１０は、タイマーをストップし、リセットする（ステップＳ９０５）。その後、フローはステップＳ９００に戻る。
【００６０】
また、子機からインターネットへのアクセスがなかったと判定された場合（ステップＳ９０４：ＮＯ）、タイマーの時間が予め設定された時間（タイムアウト時間）を経過したかを判定する（ステップＳ９０６）。
【００６１】
タイムアウト時間が経過していないと判定された場合（ステップＳ９０６：ＮＯ）、フローはステップＳ９０３に戻る。また、タイムアウト時間が経過している場合（ステップＳ９０６：ＹＥＳ）、この省電力移行監視処理を終了する。
【００６２】
また、ルータモード時にモード切替用スイッチが押下された場合に、省電力モードに移行するようにしてもよい。この場合、ルータ装置１０は、ルータモード中にモード切替用スイッチの押下を検出すると、図５を参照して上述した省電力移行処理を実行する。
【００６３】
また、無線ＬＡＮルータ装置１０は、さらに有線ＬＡＮコネクタを備えても良い。この場合の装置の構成を図１０に示す。この場合、図４を参照して上述した省電力移行監視処理において、子機からインターネットにアクセスがあったかを判定する処理（ステップＳ４０１、Ｓ４０４）において、子機だけでなく有線ＬＡＮコネクタ１２０を介して接続されたコンピュータからもインターネットにアクセスがあったかを判定する処理を実行する。それ以外は、上述の処理と同様である。
【００６４】
上述した本発明の実施形態に係る無線ＬＡＮルータ装置１０のメイン制御部１１０と無線ＷＡＮ通信モジュール１０３、コンピュータ２０の無線ＷＡＮ回線接続用ユーティリティは、ＣＰＵ（Central Processing Unit）がメモリに格納された動作プログラム等を読み出して実行することにより実現されてもよく、また、ハードウェアで構成されてもよい。上述した実施の形態の一部の機能のみをコンピュータプログラムにより実現することもできる。
【００６５】
上記の実施形態の一部又は全部は、以下の付記のようにも記載されうるが、以下には限られない。
【００６６】
（付記１）
ＷＡＮ接続モジュールを有する無線ＬＡＮルータを制御するルータ制御方法であって、
前記無線ＬＡＮルータにコンピュータが有線接続された場合に、無線ＬＡＮ子機の通信状態が所定の条件に該当するかを判定する判定ステップと、
前記無線ＬＡＮ子機の通信状態が所定の条件に該当すると判定された場合、ＷＡＮ接続に関する接続情報を当該無線ＬＡＮルータ装置から前記コンピュータに転送するステップと、
前記ＷＡＮモジュールのホストを当該無線ＬＡＮルータの制御部から前記コンピュータに切り替えるステップと、
前記無線ＬＡＮルータにおける、制御部と、無線ＬＡＮ制御機能に対応する各ブロックと、ルータ機能に対応する各ブロックと、の少なくとも一つの電源をオフするステップと、
前記コンピュータが、前記転送された接続情報に基づいて、前記無線ＬＡＮルータの前記ＷＡＮモジュールを介してＷＡＮ接続を行うステップと、
を備えることを特徴とするルータ制御方法。
【００６７】
（付記２）
前記判定ステップは、前記無線ＬＡＮルータに前記無線ＬＡＮ子機による接続が一定時間ない場合と、前記無線ＬＡＮ子機によりインターネットへのアクセスが一定時間ない場合と、の少なくとも一方に該当するかを判定する、
ことを特徴とする付記１に記載のルータ制御方法。
【００６８】
（付記３）
前記コンピュータは、給電可能なインターフェイスを介して前記無線ＬＡＮルータに接続される、
ことを特徴とする付記１又は２に記載のルータ制御方法。
【００６９】
（付記４）
ＷＡＮ接続モジュールを有する無線ＬＡＮルータ装置であって、
コンピュータが有線接続された場合に、無線ＬＡＮ子機の通信状態が所定の条件に該当するかを判定する判定手段と、
前記無線ＬＡＮ子機の通信状態が所定の条件に該当すると判定された場合、ＷＡＮ接続に関する接続情報を前記コンピュータに転送する手段と、
前記ＷＡＮモジュールのホストを当該無線ＬＡＮルータ装置の制御部から前記コンピュータに切り替える手段と、
制御部と、無線ＬＡＮ制御機能に対応する各ブロックと、ルータ機能に対応する各ブロックと、の少なくとも一つの電源をオフする手段と、
を備えることを特徴とする無線ＬＡＮルータ装置。
【００７０】
（付記５）
前記判定手段は、前記無線ＬＡＮルータに前記無線ＬＡＮ子機による接続が一定時間ない場合と、前記無線ＬＡＮ子機によりインターネットへのアクセスが一定時間ない場合と、の少なくとも一方に該当するかを判定する、
ことを特徴とする付記４に記載の無線ＬＡＮルータ装置。
【００７１】
（付記６）
前記コンピュータは、給電可能なインターフェイスを介して前記無線ＬＡＮルータ装置に接続される、
ことを特徴とする付記４又は５に記載の無線ＬＡＮルータ装置。
【符号の説明】
【００７２】
１０    無線ＬＡＮルータ装置
１００    接続インターフェイス部
１０１、１０２    スイッチ
１０３    無線ＷＡＮ通信モジュール
１０４    アンテナ
１０５    ＬＡＮ信号変換部
１０６    モード切替用スイッチ
１０７    有線ＬＡＮ制御部
１０８    インターフェイス制御部
１０９    記憶部
１１０    メイン制御部
１１１    無線ＬＡＮ制御部
１１２    無線ＬＡＮ-ＲＦ部
１１３    アンテナ
１２０    有線ＬＡＮコネクタ
２０    コンピュータ
２１    制御部
２２    記憶部
２３    接続インターフェイス部
【図１】
2011249889.tif 000003
【図２】
2011249889.tif 000004
【図３】
2011249889.tif 000005
【図４】
2011249889.tif 000006
【図５】
2011249889.tif 000007
【図６】
2011249889.tif 000008
【図７】
2011249889.tif 000009
【図８】
2011249889.tif 000010
【図９】
2011249889.tif 000011
【図１０】
2011249889.tif 000012